(57)【特許請求の範囲】
【請求項１】
提供される画像を格納し閲覧に応じるオンラインストレージのサービスを提供する情報処理装置であって、
画像の閲覧者又は提供者となるユーザごとに対応付けられている属性を記憶する属性記憶手段と、
前記オンラインストレージ上の画像が閲覧される際、その画像の提供者が前記オンラインストレージ上で保有している画像と、その画像の閲覧者が前記オンラインストレージ上で保有している画像との間で、相互に類似する画像が所定以上存在するか判定する判定手段と、
所定以上存在すると判定された場合に、前記提供者又は前記閲覧者の少なくとも一方に対応する前記属性を他方へも対応付ける属性流用手段と、
前記閲覧者又は前記提供者に表示する画像と共に、その閲覧者又は提供者に対応付けられている前記属性に基づいて広告を表示する広告表示手段と、
を備えたことを特徴とする情報処理装置。
【請求項２】
前記属性流用手段は、前記提供者に対応付けられている前記属性を前記閲覧者へも対応付け、
前記広告表示手段は、前記閲覧者に表示する前記画像と共に、その閲覧者に対応付けられている前記属性に基づいて広告を表示することを特徴とする請求項１記載の情報処理装置。
【請求項３】
前記属性流用手段は、一の前記提供者又は閲覧者に対し、相互に類似する画像が所定以上存在すると前記判定手段により判定された複数の前記閲覧者又は複数の前記提供者に共通して対応付けられている前記属性を対応付けることを特徴とする請求項１又は２記載の情報処理装置。
【請求項４】
前記属性流用手段により前記他方へ対応付けられた前記属性に基づいて前記広告表示手段により表示された広告について、予め定められた指標値を取得する指標取得手段と、
取得された前記指標値に基づいて前記他方への対応付けを取り消す取消手段と、
を備えたことを特徴とする請求項１から３のいずれか一項に記載の情報処理装置。
【請求項５】
画像の閲覧を認めるユーザのグループの登録を受け付けるグループ登録手段を備え、
前記判定手段又は前記属性流用手段は、前記グループのメンバー間に限って、前記判定又は対応付けの対象とすることを特徴とする請求項１から４のいずれか一項に記載の情報処理装置。
【請求項６】
画像の閲覧を認めるユーザのグループについて、グループの属性とともに登録を受け付けるグループ登録手段と、
前記閲覧者と前記提供者が同じ前記グループに属するとき、そのグループの前記属性を前記閲覧者又は前記提供者の少なくとも一方に対応付けることを特徴とする属性追加手段と、
を備えたことを特徴とする請求項１から５のいずれか一項に記載の情報処理装置。
【請求項７】
提供される画像を格納し閲覧に応じるオンラインストレージのサービスを提供する情報処理方法であって、
画像の閲覧者又は提供者となるユーザごとに対応付けられている属性を記憶する属性記憶処理と、
前記オンラインストレージ上の画像が閲覧される際、その画像の提供者が前記オンラインストレージ上で保有している画像と、その画像の閲覧者が前記オンラインストレージ上で保有している画像との間で、相互に類似する画像が所定以上存在するか判定する判定処理と、
所定以上存在すると判定された場合に、前記提供者又は前記閲覧者の少なくとも一方に対応する前記属性を他方へも対応付ける属性流用処理と、
前記閲覧者又は前記提供者に表示する画像と共に、その閲覧者又は提供者に対応付けられている前記属性に基づいて広告を表示する広告表示処理と、
をコンピュータが実行することを特徴とする情報処理方法。
【発明の詳細な説明】
【技術分野】
【０００１】
本発明は、いわゆるネット広告に関する。
【背景技術】
【０００２】
ネットワークストレージ上の画像とともに広告を表示する場合、画像を解析して被写体を判定し、それに関連する広告を表示する提案があるが（例えば、特許文献１参照）、実際には、解析できる範囲や対象が極めて限られ、実施は事実上困難であった。
【０００３】
実践的には、画像を閲覧するユーザについて、ネット上の行動履歴などに基づく趣味、嗜好、興味関心などを表す属性を利用して、行動ターゲティング広告を表示することが考えられる（例えば、非特許文献１参照）。
【先行技術文献】
【特許文献】
【０００４】
【特許文献１】特開２００７−２２６３４５号
【非特許文献】
【０００５】
【非特許文献１】ヤフー株式会社、「ユーザー情報の取り扱いについて（行動ターゲティング広告）」、［online］、［2013年3月7日検索］、インターネット〈URL:  http://advertising.yahoo.co.jp/ad/privacy/>
【発明の概要】
【発明が解決しようとする課題】
【０００６】
しかし、この場合の行動ターゲティング広告は、画像の内容とは無関係であり、広告効果に限界があった。
【０００７】
本発明の目的は、画像閲覧時に表示する広告の基礎となる属性をオンラインストレージ上の画像に基いて的確に拡大することである。
【課題を解決するための手段】
【０００８】
上記の目的をふまえ、本発明の一態様（１）である情報処理装置は、提供される画像を格納し閲覧に応じるオンラインストレージのサービスを提供する情報処理装置であって、画像の閲覧者又は提供者となるユーザごとに対応付けられている属性を記憶する属性記憶手段と、前記オンラインストレージ上の画像が閲覧される際、その画像の提供者が前記オンラインストレージ上で保有している画像と、その画像の閲覧者が前記オンラインストレージ上で保有している画像との間で、相互に類似する画像が所定以上存在するか判定する判定手段と、所定以上存在すると判定された場合に、前記提供者又は前記閲覧者の少なくとも一方に対応する前記属性を他方へも対応付ける属性流用手段と、前記閲覧者又は前記提供者に表示する画像と共に、その閲覧者又は提供者に対応付けられている前記属性に基づいて広告を表示する広告表示手段と、を備えたことを特徴とする。
【０００９】
本発明の他の態様（７）である情報処理方法は、上記態様を方法のカテゴリで捉えたもので、提供される画像を格納し閲覧に応じるオンラインストレージのサービスを提供する情報処理方法であって、画像の閲覧者又は提供者となるユーザごとに対応付けられている属性を記憶する属性記憶処理と、前記オンラインストレージ上の画像が閲覧される際、その画像の提供者が前記オンラインストレージ上で保有している画像と、その画像の閲覧者が前記オンラインストレージ上で保有している画像との間で、相互に類似する画像が所定以上存在するか判定する判定処理と、所定以上存在すると判定された場合に、前記提供者又は前記閲覧者の少なくとも一方に対応する前記属性を他方へも対応付ける属性流用処理と、前記閲覧者又は前記提供者に表示する画像と共に、その閲覧者又は提供者に対応付けられている前記属性に基づいて広告を表示する広告表示処理と、をコンピュータが実行することを特徴とする。
【００１０】
また、本発明の他の態様（２）は、上記いずれかの態様において、前記属性流用手段は、前記提供者に対応付けられている前記属性を前記閲覧者へも対応付け、前記広告表示手段は、前記閲覧者に表示する前記画像と共に、その閲覧者に対応付けられている前記属性に基づいて広告を表示することを特徴とする。
【００１１】
本発明の他の態様（３）は、上記いずれかの態様において、前記属性流用手段は、一の前記提供者又は閲覧者に対し、相互に類似する画像が所定以上存在すると前記判定手段により判定された複数の前記閲覧者又は複数の前記提供者に共通して対応付けられている前記属性を対応付けることを特徴とする。
【００１２】
本発明の他の態様（４）は、上記いずれかの態様において、前記属性流用手段により前記他方へ対応付けられた前記属性に基づいて前記広告表示手段により表示された広告について、予め定められた指標値を取得する指標取得手段と、取得された前記指標値に基づいて前記他方への対応付けを取り消す取消手段と、を備えたことを特徴とする。
【００１３】
本発明の他の態様（５）は、上記いずれかの態様において、画像の閲覧を認めるユーザのグループの登録を受け付けるグループ登録手段を備え、前記判定手段又は前記属性流用手段は、前記グループのメンバー間に限って、前記判定又は対応付けの対象とすることを特徴とする。
【００１４】
本発明の他の態様（６）は、上記いずれかの態様において、画像の閲覧を認めるユーザのグループについて、グループの属性とともに登録を受け付けるグループ登録手段と、前記閲覧者と前記提供者が同じ前記グループに属するとき、そのグループの属性を前記閲覧者又は提供者の少なくとも一方に対応付けることを特徴とする属性追加手段と、を備えたことを特徴とする。
【発明の効果】
【００１５】
本発明によれば、画像閲覧時に表示する広告の基礎となる属性をオンラインストレージ上の画像に基いて的確に拡大することが可能となる。
【図面の簡単な説明】
【００１６】
【図１】本発明の実施形態について構成を示す機能ブロック図。
【図２】本発明の実施形態におけるデータの例を示す図。
【図３】本発明の実施形態におけるデータの例を示す図。
【図４】本発明の実施形態における処理手順を示すフローチャート。
【図５】本発明の実施形態の概要を示す概念図。
【発明を実施するための形態】
【００１７】
次に、本発明を実施するための形態（「実施形態」と呼ぶ）について図に沿って例示する。なお、背景技術や課題などで既に述べた内容と共通の前提事項は適宜省略する。
【００１８】
〔１．構成〕
図１は、本実施形態の構成図である。サーバ１（単に「サーバ１」とも呼ぶこととする）は、通信ネットワークＮ（インターネット、携帯電話網など）を介し、提供される画像を格納し閲覧に応じるオンラインストレージのサービス（以下、単に「サービス」とも呼ぶ）を提供する情報処理装置であり、サービス提供手段２０は、サービスを端末Ｔに提供する手段である。なお、サービスでは、画像以外のファイル一般を格納できてもよい。
【００１９】
サーバ１は、コンピュータの構成として、ＣＰＵなどの演算制御部６と、主メモリや補助記憶装置等の記憶装置７と、通信ネットワークＮとの通信装置８（通信機器や通信アダプタなど）と、を有する。端末Ｔも、仕様は異なるが同様にコンピュータの構成を有する（図示省略）。端末Ｔは、実際にはユーザ数に応じて多数存在し、スマートフォン、タブレットＰＣなどの携帯情報端末や、その他のパーソナルコンピュータなどである。
【００２０】
サーバ１では、記憶装置７に記憶されている図示しないコンピュータプログラムを演算制御部６が実行することで、図１に示す各要素を実現する。
【００２１】
実現される要素のうち、情報の記憶手段は、サーバ１内のいわゆるローカル記憶に限らず、ネットワーク・コンピューティング（クラウド）などによるリモート記憶でもよい。また、本出願に示す記憶手段は、説明の便宜に合わせた単位で示す主なものであり、実際は、情報の記憶に付随する入出力や管理などの機能を含めたり、構成の単位を分割または一体化したり、ワークエリアなど他の記憶手段を適宜用いてよい。
【００２２】
なお、図中（例えば図１）の矢印は、データや制御などの流れについて主要な方向を補助的に示すもので、他の流れの否定や方向の限定を意味するものではない。また、記憶手段以外の各手段は、以下に説明するような情報処理の機能・作用を実現・実行する処理手段であるが、これらは説明の便宜による機能単位で、実際のハードウェア要素やソフトウェアモジュールとの一致は問わない。
【００２３】
記憶手段のうち、属性記憶手段１５は、画像の閲覧者又は提供者となるユーザごとに対応付けられている属性を記憶する手段である。属性は、画像と共にユーザに表示する広告を選択するために、興味、関心、趣味、嗜好などに係る事項やカテゴリ（例えば、登山、料理、車、旅行など）を表すデータである。
【００２４】
画像記憶手段２５は、オンラインストレージ上にユーザがアップロードすることで提供し保有しているファイルを記憶する手段である。図２は、属性記憶手段１５と画像記憶手段２５とを説明のため一体に示すもので、後述するグループであってそのユーザが属しているものの情報も含んでいる。また、図中のファイル名はファイル自体を表すものとする。
【００２５】
また、実績記憶手段６５は、他のユーザから流用（後述）した属性ごとに、その属性に基づいて表示した広告の効果を表す指標値としてＣＴＲ（クリック率）を記憶する手段である（例えば図３）。
【００２６】
〔２．作用〕
図４は、上記のように構成されたサーバ１の動作手順のうち、特に本発明に関する部分を示すフローチャートである。なお、サービス提供手段２０は、オンラインストレージのサービスとして、ユーザを認証したうえ、画像について、提供者からのアップロードの受付や閲覧者からの要求に応じた表示を行う。
【００２７】
〔２−１．概要とグループの登録〕
このサービスは、ユーザが用いる端末Ｔからアプリケーションプログラム（「アプリ」とも呼ばれる）やウェブブラウザを経て利用されるが、サービスのうち、ユーザの認証とアップロードについては従来と同様でよいので、図４ではそれらを除き、本件の特徴に係る画像の閲覧（ステップＳ１１：「閲覧」）を中心とした動作手順を示す。
【００２８】
ここで、本実施形態の概要は、図５の概念図に示すように、オンラインストレージにおいて、画像の閲覧者と提供者の間で相互に類似する画像を所定以上ある場合に、提供者の属性ａ１やａ２を流用して画像の閲覧者に画像と共に広告Ｄを表示することである。
【００２９】
なお、画像の閲覧の前提として、特定の画像や画像群について閲覧者を限定したい場合、グループを登録する（ステップＳ１１：「グループ登録」）。この場合、グループ登録手段８０が、一又は二以上の画像について閲覧を認めるユーザのグループについて、グループの属性（野球、車などのテーマ）とともに登録を受け付ける（ステップＳ１２）。
【００３０】
グループの登録は、グループの設定・新規登録時は、管理者となるユーザから受け付け、その後、メンバーとなるユーザの登録については、管理者や参加希望者から受け付ける。
【００３１】
〔２−２．類似性の判断〕
そして、オンラインストレージ上の画像が閲覧されるとき（ステップＳ１１：「閲覧」）、判定手段３０が、その画像の提供者と閲覧者がそれぞれオンラインストレージ上に持っている画像の類似性を判定し（ステップＳ１４からＳ１５）、その結果に応じて（ステップＳ１６：「ＹＥＳ」）、属性流用手段４０が、広告表示に用いる属性を画像の提供者から閲覧者へ流用する（ステップＳ１７）。
【００３２】
提供者と閲覧者間における属性の流用は、全ユーザを対象としてもよいが、本実施形態では、同じグループに属するユーザ間に限定するものとする。具体的には、判定手段３０が、同じグループのメンバーとなっているユーザ間に限って（ステップＳ１３：「ＹＥＳ」）、判定（ステップＳ１４からＳ１６）の対象とする。同じグループ内のユーザ間に限定する処理は、判定手段３０ではなく、属性流用手段４０が、対応付けの段階（ステップＳ１７）で行ってもよい。
【００３３】
画像の類似性の判定では、判定手段３０が、閲覧対象の画像とその提供者を画像記憶手段２５を検索して特定し（ステップＳ１４）、その画像の提供者がオンラインストレージ上で保有している画像と、その画像の閲覧者がオンラインストレージ上で保有している画像との間で、相互に類似する画像をカウントして（ステップＳ１５）所定以上存在するか判定する（ステップＳ１５からＳ１６）。
【００３４】
個々の画像同士における類似性の判断は、各画像の部分特徴量の抽出と比較など、公知の技術を用いて行う。また、所定以上存在するかの基準は、所定数以上でもよいし、一方又は双方の当事者の保有画像に占める、類似する画像の割合などでもよい。また、提供者の画像と、閲覧者の画像との類似判断の具体的手順や基準については、画像の数その他の事情に応じて選択する。
【００３５】
例えば、両者の画像群の間で、順列組み合わせの要領で全ての組み合わせ同士で比較してもよいし、片方の画像群ごと、相互に類似した類似画像群（クラスタ）にクラスタリングしたうえ、提供者側のクラスタと閲覧者側のクラスとの間でまとめて距離を計算し、距離が所定以内のクラスタに含まれる画像同士を類似とみなすなども考えられる。
【００３６】
また、相対的に高度に類似する画像の数は、それ以外の類似する画像の数よりも多きなウェイトで評価してもよい。
【００３７】
〔２−４．属性の流用と広告〕
そして、属性流用手段４０は、提供者と閲覧者との間で相互に類似する画像が所定以上存在すると判定された場合に（ステップＳ１６：「ＹＥＳ」）、属性記憶手段１５にアクセスし、提供者に対応付けられている属性を閲覧者へも対応付ける流用を行う（ステップＳ１７）。
【００３８】
この際、プライバシー、羞恥心、ユーザによる選択その他の事情により、流用に支障ある属性（ローン、育毛剤、一部の医療品など）は対象外としてもよい。
【００３９】
例えば、図５の概念図では、閲覧者Ｂには、本来の属性ｂ１及びｂ２に加え、提供者Ａから流用された属性ａ１及びａ２も対応付けられている。また、属性追加手段９０は、閲覧者と提供者が同じグループに属するとき（ステップＳ１３：「ＹＥＳ」）、そのグループの属性についても閲覧者に対応付ける（ステップＳ１８）。
【００４０】
広告表示手段５０は、閲覧者に表示する画像と共に、その閲覧者に対応付けられている属性に基づいて広告を表示する（ステップＳ１９）。例えば、図５の概念図では、閲覧する画像Ｐと共に閲覧者Ｂに表示される広告Ｄは、提供者Ａから流用された属性ａ１やａ２に基づくものである可能性もある。
【００４１】
また、指標取得手段６０は、属性流用手段４０により対応付けられた属性に基づいて広告表示手段５０により表示された広告について、予め定められた指標値（ＣＴＲなど）を取得し（ステップＳ２０）、取消手段７０は、取得された指標値に基づいて、例えば指標値が所定以上でなければ（ステップＳ２１：「ＮＯ」）、閲覧者への対応付けによる流用を取り消す（ステップＳ２２）。
【００４２】
取り消すか否かの基準は、例えば、指標値が所定値以下のときや、本来の又は流用された他の属性との相対評価で劣るなどである。例えば、図３に示す流用した属性ａ２（料理）についてはＣＴＲが２％で、下限値５％未満であるから取り消しといった実装も有り得るし、他の属性ａ１（登山）より相対的に劣るから取り消しといった実装も有り得る。
【００４３】
〔３．効果〕
以上のように、本実施形態では、オンラインストレージにおいて、画像の閲覧者と提供者の間で相互に類似する画像を所定以上ある場合に、提供者の属性を流用して画像の閲覧者に画像と共に広告を表示することにより（図５）、画像の提供者という影響力あるユーザの属性を、画像の閲覧者という数が多いユーザに及ぼし、広告の多様化を一層促進できる。
【００４４】
これにより、画像の閲覧者と提供者という関係性に加え、保有画像の類似から推定できる趣味嗜好の類似性に基づき、的確に属性を流用して表示できる広告を多様化できる。すなわち、画像閲覧時に表示する広告の基礎となる属性をオンラインストレージ上の画像に基いて的確に拡大することができる。
【００４５】
また、本実施形態では、流用した属性で表示した広告の指標値を基準にその流用を取り消すことにより（図４のステップＳ２０からＳ２２）、流用による広告効果が一層優れたものになる。
【００４６】
また、本実施形態では、属性の流用を画像の共有グループ内に限ることにより（図４のステップＳ１２及びＳ１３）、流用された属性に基づく広告のテーマと自身の趣味嗜好にずれがあっても、グループのメンバーに関して思い当たる可能性が高くなり、優れた広告効果が期待できる。
【００４７】
また、本実施形態では、類似画像が多いユーザ間での属性流用に加え、共有グループに設定した属性もメンバーに適用することにより（ステップＳ１８）、表示できる広告を趣味嗜好に沿ってさらに多様化できる。
【００４８】
〔４．他の実施形態〕
なお、上記実施形態や図の内容は例示に過ぎず、各要素の有無や配置、処理の順序や内容などは適宜変更可能である。このため、本発明は、以下に例示する変形例やそれ以外の他の実施形態も含むものである。例えば、図１は概念的構成であり、属性に基づく広告の選択や表示の機能（例えば広告表示手段）を広告配信サーバとして別体にするなど、適宜な構成を選択してよい。
【００４９】
また、属性の流用する方向は、提供者から閲覧者に限らず、逆でもよいし、双方向でもよい。また、提供者が、自ら提供した画像を閲覧する際に、その画像を閲覧した閲覧者から流用された属性に基づく広告を表示してもよい。これは、オンラインストレージにおいて、画像の閲覧者と提供者の間で相互に類似する画像を所定以上ある場合に、相手の属性を流用して画像と共に広告を表示することを意味する。
【００５０】
この場合、属性流用手段は、相互に類似する画像が所定以上存在すると判定された場合に、提供者又は閲覧者の少なくとも一方に対応する属性を他方へも対応付け、広告表示手段は、閲覧者又は提供者に表示する画像と共に、その閲覧者又は提供者に対応付けられている属性に基づいて広告を表示するものとなる。
【００５１】
また、提供者と閲覧者の間で流用する属性は、類似画像の多い一人の相手の属性ではなく、類似画像の多い複数の相手の共通項である属性としてもよい。この場合、属性流用手段は、一の提供者又は閲覧者に対し、相互に類似する画像が所定以上存在すると判定手段により判定された複数の閲覧者又は複数の提供者に共通して（例えば、所定の人数又は割合以上など）対応付けられている属性を対応付ける。
【００５２】
これにより、類似の画像を多く持つ複数の相手に共通の属性を流用することにより、表示される広告とユーザの趣味嗜好との適合を高め広告効果を増進できる。
【００５３】
また、本発明の各態様は、明記しない他のカテゴリ（方法、プログラム、端末を含むシステムなど）としても把握できる。方法やプログラムのカテゴリでは、装置のカテゴリで示した「手段」を「処理」や「ステップ」のように適宜読み替えるものとする。また、「手段」の全部又は任意の一部を「部」（ユニット、セクション、モジュール等）と読み替えることができる。
【００５４】
また、実施形態に示した処理やステップについても、順序を変更したり、いくつかをまとめて実行しもしくは一部分ずつ分けて実行するなど変更可能である。また、個々の手段、処理やステップを実現、実行するハードウェア要素などは共通でもよいし、手段、処理やステップごとにもしくはタイミングごとに異なってもよい。
【００５５】
また、本出願で示す個々の手段は、外部のサーバが提供している機能をＡＰＩ（アプリケーションプログラムインタフェース）やネットワーク・コンピューティング（いわゆるクラウドなど）で呼び出して実現してもよい。さらに、本発明に関する手段などの各要素は、コンピュータの演算制御部に限らず物理的な電子回路など他の情報処理機構で実現してもよい。
【符号の説明】
【００５６】
１  サーバ
６  演算制御部
７  記憶装置
８  通信装置
１５  属性記憶手段
２０  サービス提供手段
２５  画像記憶手段
３０  判定手段
４０  属性流用手段
５０  広告表示手段
６０  指標取得手段
６５  実績記憶手段
７０  取消手段
８０  グループ登録手段
９０  属性追加手段
Ａ  提供者
ａ１、ａ２、ｂ１、ｂ２  属性
Ｂ  閲覧者
Ｄ  広告
Ｎ  通信ネットワーク
Ｐ  画像
Ｔ  端末
【図１】
0005635638.tif 000002
【図２】
0005635638.tif 000003
【図３】
0005635638.tif 000004
【図４】
0005635638.tif 000005
【図５】
0005635638.tif 000006